(57)【要約】【課題】被写体の照明状態に応じてより適切にフリッカを低減する技術を提供する技術を提供する。【解決手段】ビデオカメラ１００は、被写体画像を生成する撮像部１１０と、重畳画像を生成する重畳画像生成部２３０と、被写体画像と重畳画像とを合成して合成画像を生成する画像合成部１５０と、映像信号を合成画像から生成する映像信号生成部１６０と、を備えている。このビデオカメラ１００は、照明光源の輝度変化によって生じるフリッカを低減するフリッカ低減部２４０を備えている。フリッカ低減部２４０は、複数のフリッカ低減モードを有しており、フリッカ低減部２４０が実行するフリッカ低減モードは、モード設定部２５０がユーザの指示に基づいて設定する。このモード設定部２５０は、ユーザにフリッカ低減モードの設定を案内するための設定画面を重畳画像として重畳画像生成部２３０に生成させる。【選択図】図２
2008311854.tif 000002
【特許請求の範囲】
【請求項１】
ビデオカメラであって、
被写体を撮影して被写体画像を生成する撮像部と、
前記被写体画像に重畳される重畳画像を生成する重畳画像生成部と、
前記被写体画像と前記重畳画像とを合成して合成画像を生成する画像合成部と、
前記ビデオカメラが出力する映像信号を前記合成画像から生成する映像信号生成部と、
前記被写体を照明する光源の輝度変化によって生じるフリッカを低減するための互いに異なる複数のフリッカ低減モードを有するフリッカ低減部と、
ユーザの指示に基づいて、前記フリッカ低減部において実行されるフリッカ低減モードを設定するモード設定部と、
を備え、
前記モード設定部は、前記ユーザにフリッカ低減モードの設定を案内するための設定画面を前記重畳画像として前記重畳画像生成部に生成させる、
ビデオカメラ。
【請求項２】
請求項１記載のビデオカメラであって、さらに、
前記ビデオカメラに供給される電源の周波数を判別する電源周波数判別部を備えており、
前記モード設定部は、前記電源周波数判別部により判別された電源周波数がフリッカを発生させる可能性がある電源周波数であった場合に、前記設定画面を前記重畳画像生成部に生成させる、
ビデオカメラ。
【請求項３】
請求項１または２記載のビデオカメラであって、
前記複数のフリッカ低減モードのそれぞれには、各フリッカ低減モードが実行されている際の前記映像信号の特性に基づいて優先順位が設定されており、
前記モード設定部は、前記ユーザの指示に応じて、前記優先順位の順にフリッカ低減モードを順次切り換える、
ビデオカメラ。
【請求項４】
ビデオカメラにより撮影される被写体を照明する光源の輝度変化によって生じるフリッカを低減するフリッカ低減方法であって、
（ａ）前記被写体を撮影して被写体画像を生成する工程と、
（ｂ）前記ビデオカメラが出力する映像信号を前記被写体画像から生成する生成する工程と、
（ｃ）互いに異なる複数のフリッカ低減モードのうちから選択されたフリッカ低減モードを実行することによりフリッカを低減する工程と、
（ｄ）ユーザの指示に基づいて、前記工程（ｃ）において実行されるフリッカ低減モードを設定する工程と、
を備え、
前記工程（ｄ）は、ユーザにフリッカ低減モードの設定を案内するための設定画面を生成する工程を含み、
前記工程（ｂ）は、
前記被写体画像に前記設定画面を重畳した合成画像を生成する工程と、
前記合成画像から前記映像信号を生成する工程と、
を含む、
フリッカ低減方法。
【発明の詳細な説明】
【技術分野】
【０００１】
この発明は、照明光源の輝度変化によりビデオカメラで撮影された映像に発生するフリッカを低減する技術に関する。
【背景技術】
【０００２】
商用電源の周波数は、地域によって５０Ｈｚと６０Ｈｚとのいずれかに定められている。商用電源を使用する照明器具の輝度は、その照明器具の種類によっては、商用電源の周波数（電源周波数）と同一または倍の周波数で変動する。例えば、電源周波数が５０Ｈｚの地域では、白熱灯の輝度は１００Ｈｚで変動し、インバータを有していない蛍光灯の輝度は、１００Ｈｚまたは５０Ｈｚで変動する。
【０００３】
一方、ビデオカメラやモニタ装置における１秒あたりのフレーム数（フレームレート）は、テレビション方式により定められており、例えば、テレビジョン方式がＮＴＳＣ方式の場合、フレームレートは６０ＦＰＳとなっている。
【０００４】
例えば、電源周波数が５０Ｈｚの地域で、蛍光灯で照明された被写体をフレームレートが６０ＦＰＳのビデオカメラを用いて映像を撮影すると、照明器具の輝度の変動による被写体の照度の変動のため、フレーム毎の明るさが変動するいわゆるフリッカが発生する。このようなフリッカの発生を抑制するため、ビデオカメラにはフリッカ低減手段が設けられる。フリッカ低減手段としては、たとえば、シャッタ速度を１／１００秒に設定することにより、ビデオカメラの撮像素子に入射する光量の変動を抑制する手段が使用される。
【０００５】
【特許文献１】特開２００３−２４４５５５号公報
【発明の開示】
【発明が解決しようとする課題】
【０００６】
しかしながら、フリッカ低減手段は、ビデオカメラ毎に固定的に設けられている。そのため、特定のビデオカメラを用いることにより、照明光源の状態によってフリッカが十分低減されない場合や、また、別のビデオカメラを用いることにより、必要以上のフリッカ低減処理が行われビデオカメラから出力される映像の画質が低下する場合がある。
【０００７】
本発明は、上述した従来の課題を解決するためになされたものであり、被写体の照明状態に応じてより適切にフリッカを低減する技術を提供することを目的とする。
【課題を解決するための手段】
【０００８】
本発明は、上述の課題の少なくとも一部を解決するためになされたものであり、以下の形態又は適用例として実現することが可能である。
【０００９】
［適用例１］
ビデオカメラであって、被写体を撮影して被写体画像を生成する撮像部と、前記被写体画像に重畳される重畳画像を生成する重畳画像生成部と、前記被写体画像と前記重畳画像とを合成して合成画像を生成する画像合成部と、前記ビデオカメラが出力する映像信号を前記合成画像から生成する映像信号生成部と、前記被写体を照明する光源の輝度変化によって生じるフリッカを低減するための互いに異なる複数のフリッカ低減モードを有するフリッカ低減部と、ユーザの指示に基づいて、前記フリッカ低減部において実行されるフリッカ低減モードを設定するモード設定部と、を備え、前記モード設定部は、前記ユーザにフリッカ低減モードの設定を案内するための設定画面を前記重畳画像として前記重畳画像生成部に生成させる、ビデオカメラ。
【００１０】
この適用例によれば、フリッカ低減部は複数のフリッカ低減モードを有している。そのため、フリッカ低減モードをより好ましいものに設定することにより、被写体の照明状態に応じたより適切な方法によりフリッカ低減を行うことができる。また、ビデオカメラからは、フリッカ低減モードの設定を案内する設定画面が被写体画像に重畳された映像信号が出力される。そのため、ユーザは、設定画面を見ながらフリッカ低減モードを設定することができるので、より適切なフリッカ低減モードを設定することが容易となる。
【００１１】
［適用例２］
適用例１記載のビデオカメラであって、さらに、前記ビデオカメラに供給される電源の周波数を判別する電源周波数判別部を備えており、前記モード設定部は、前記電源周波数判別部により判別された電源周波数がフリッカを発生させる可能性がある電源周波数であった場合に、前記設定画面を前記重畳画像生成部に生成させる、ビデオカメラ。
【００１２】
この適用例によれば、電源周波数がフリッカを発生させる可能性がある電源周波数である場合には、フリッカ低減モードの設定を案内するための設定画面が重畳された映像信号が出力される。そのため、フリッカが発生する可能性があり、フリッカ低減モードの設定が好ましい場合には、フリッカ低減モードの設定が促されるので、より好ましいフリッカ低減モードを設定することがより容易となる。
【００１３】
［適用例３］
適用例１または２記載のビデオカメラであって、前記複数のフリッカ低減モードのそれぞれには、各フリッカ低減モードが実行されている際の前記映像信号の特性に基づいて優先順位が設定されており、前記モード設定部は、前記ユーザの指示に応じて、前記優先順位の順にフリッカ低減モードを順次切り換える、ビデオカメラ。
【００１４】
この適用例によれば、フリッカ低減モードのそれぞれには映像信号の特性に基づいて優先順位が設定されている。そして、この優先順位の順にフリッカ低減モードは準じきり換えられる。そのため、より好ましいフリッカ低減モードを設定することがより容易となる。
【００１５】
なお、本発明は、種々の態様で実現することが可能である。例えば、ビデオカメラ、ビデオカメラの制御装置および制御方法、それらのビデオカメラ、制御装置および制御方法、を実現するためのコンピュータプログラム、そのコンピュータプログラムを記録した記録媒体、そのコンピュータプログラムを含み搬送波内に具現化されたデータ信号、等の態様で実現することができる。
【発明を実施するための最良の形態】
【００１６】
次に、本発明の実施の形態を実施例に基づいて以下の順序で説明する。
Ａ．第１実施例：
Ｂ．第２実施例：
Ｃ．変形例：
【００１７】
Ａ．第１実施例：
図１は、第１実施例を適用する監視システムの概略構成を示す概略構成図である。監視システム１０は、リモートコントローラ１０２が付属しているビデオカメラ１００と、モニタ装置３００と、を備えている。監視システム１０のユーザは、リモートコントローラ１０２に設けられたボタンを操作することにより、ビデオカメラ１００の設定を行うことが可能となっている。
【００１８】
監視システム１０のビデオカメラ１００は、蛍光灯２０により照明された領域（照明領域）を撮影する。ビデオカメラ１００により撮影された映像は、ケーブル１０４を介してモニタ装置３００に供給される。モニタ装置３００は、供給された映像を画面３１０上に表示する。図１の例では、蛍光灯２０の照明領域中の被写体として人物がビデオカメラ１００により撮影されている。そのため、人物を含む映像がモニタ装置３００の画面３１０に表示されている。
【００１９】
図２は、ビデオカメラ１００の機能的な構成を示す機能ブロック図である。ビデオカメラ１００は、イメージセンサ１１０と、前処理部１２０と、フレームレート変換部１３０と、補間・色調整処理部１４０と、画像合成部１５０と、出力信号生成部１６０と、リモートコントローラ受信部１７０と、これら各部を制御するカメラ制御部２００と、を備えている。
【００２０】
カメラ制御部２００は、撮像制御部２１０と、フレーム読出制御部２２０と、オンスクリーンディスプレイ（ＯＳＤ）画像を生成するＯＳＤ画像生成部２３０と、フリッカ低減部２４０と、ビデオカメラ１００の種々の動作条件を設定するカメラ動作設定部２５０と、を有している。カメラ動作設定部２５０は、設定された動作条件を格納するための不揮発性メモリ２５２を有している。
【００２１】
イメージセンサ１１０は、レンズ（図示しない）によりイメージセンサ１１０の受光部（図示しない）に形成された画像を電気信号（画像信号）に変換する。そして、変換された画像信号を増幅し、増幅された画像信号をアナログ−デジタル変換（Ａ−Ｄ変換）することにより、受光部に形成された画像を表す画像データＧＤ１を生成する。イメージセンサ１１０としては、例えば、増幅器とＡ−Ｄ変換器とが組み込まれたＣＭＯＳイメージセンサや、増幅器とＡ−Ｄ変換器（併せて、「アナログフロントエンド」とも呼ばれる）が取り付けられたＣＣＤイメージセンサを使用することができる。このイメージセンサ１１０は、電子シャッタを備えている。電子シャッタとは、受光部への入射光量に従って生成される電荷の蓄積時間（「シャッタ速度」と呼ばれる）を制御する機能である。画像信号と画像データは、蓄積時間の間に受光部に入射した光量の積分値に応じて生成される。なお、電荷の蓄積が行われる状態を電子シャッタが開いている状態（開状態）、電荷の蓄積が行われない状態を電子シャッタが閉じている状態（閉状態）とも呼ぶ。
【００２２】
イメージセンサ１１０は、１秒間あたりの撮影フレーム数（「フレームレート」と呼ばれる）と、電子シャッタのシャッタ速度と、イメージセンサ１１０における画像信号の増幅率（ゲイン）と、が変更可能に構成されている。これらの、撮影フレームレート、シャッタ速度、およびゲインは、撮像制御部２１０から供給される撮像制御信号により指定される。なお、イメージセンサ１１０の実効的な感度は、撮影フレームレートとシャッタ速度との設定状態によって変化する。そこで、後述するように、ゲインを標準的なゲインの値に所定の倍率（ゲイン倍率）を乗じた値とすることにより、実効的な感度の変動が補償される。なお、標準的なゲインは、例えば、図示しない自動ゲイン制御部（ＡＧＣ）により決定される。
【００２３】
イメージセンサ１１０により生成された画像データＧＤ１は、前処理部１２０において、所定の前処理が行われる。前処理としては、例えば、クランプ処理やホワイトバランス調整処理が行われる。なお、これらの前処理の内容は、本発明に影響しないので、ここではその説明を省略する。前処理部１２０により前処理が行われた画像データＧＤ２は、フレームレート変換部１３０に供給される。
【００２４】
フレームレート変換部１３０は、フレームレートが撮影フレームレートに設定された画像データＧＤ２にフレームレートの変換処理を施して、フレームレートが出力フレームレートに設定された画像データＧＤ３を生成する。フレームレートの変換は、フレームレート変換部１３０に設けられた図示しないフレームメモリに画像データＧＤ２を書き込んだ後、フレーム読出制御部２２０から供給されるフレーム読出信号に応じて、フレームメモリから画像データＧＤ３を読み出すことにより行われる。フレームレートの変換に使用されるフレームメモリは、通常、１フレーム分の画像（フレーム画像）をそれぞれ格納する２つのエリアを有している。ここで、出力フレームレートとは、モニタ装置に供給する映像信号ＶＳＧのフレームレートのことをいう。なお、フレームレートの変換を行わない場合には、フレームレート変換部１３０をバイパスするものとしてもよい。
【００２５】
図３は、フレームメモリに対するフレーム画像の読み書きによりフレームレート変換が行われる様子を示す説明図である。図３の例は、毎秒３０フレーム（３０ＦＰＳ）の画像データが、６０ＦＰＳの画像データに変換される様子を示している。図３の横軸は時間を表している。図３（ａ）は、フレームメモリの第１のエリアへのフレーム画像の格納状態を示しており、図３（ｂ）は、第２のエリアへのフレーム画像の格納状態を示している。図３（ｃ）は、画像データＧＤ２に基づいてフレームメモリにフレーム画像が書き込まれる様子を示している。図３（ｄ）は、画像データＧＤ３の生成に利用されるフレーム画像が、フレームメモリから読み出される様子を示している。図３（ｃ）および図３（ｄ）において、右上から左下へのハッチングは、フレームメモリの第１のエリアに対して読み書きが行われている状態を示している。また、左上から右下へのハッチングは、フレームメモリの第２のエリアに対して読み書きが行われている状態を示している。
【００２６】
図３（ｃ）に示すように、時刻ｔ１から時刻ｔ３までの期間（以下、「期間ｔ１〜ｔ３」と呼び、他の期間についても同様に呼ぶ）、第１のエリアには、画像データＧＤ２のＮ番目のフレームの画像（以下、単に「フレームＮ」と呼び、他のフレームついても同様に呼ぶ）が書き込まれている。このとき、第１のエリアのうちフレーム画像の書き込みが行われた領域には書き込み途中のフレームＮが格納され、フレーム画像の書き込みが未だ行われていない領域には、先に格納されたフレームＮー２が格納されたままとなっている。そのため、図３（ａ）に示すように、期間ｔ１〜ｔ３において、第１エリアには、フレームＮ−２とフレームＮとの、２つのフレーム画像が格納されている。
【００２７】
一方、期間ｔ１〜ｔ３においては、第２エリアに対してはフレーム画像の書き込みが行われていない。そのため、図３（ｂ）に示すように、第２エリアには、書き込み中のフレームＮの前のフレームＮ−１のみが格納されている。そして、図３（ｄ）に示すように、フレーム画像の読み取りを、フレーム画像の書き込みが行われていない第２エリアから行うことにより、期間ｔ１〜ｔ２，ｔ２〜ｔ３のそれぞれにおいてフレームＮ−１が読み出される。
【００２８】
次に、期間ｔ３〜ｔ５においては、図３（ｃ）に示すように、第２エリアに対してフレームＮ＋１の書き込みが行われる。そのため、図３（ａ）に示すように、期間ｔ３〜ｔ５において、第２エリアには、フレームＮ−１とフレームＮ＋１との、２つのフレーム画像が格納されている。一方、第１エリアに対してはフレーム画像の書き込みが行われないので、第１エリアには、期間ｔ１〜ｔ３において書き込まれたフレームＮのみが格納されている。そして、図３（ｄ）に示すように、フレーム画像の読み取りを第１エリアから行うことにより、期間ｔ３〜ｔ４，ｔ４〜ｔ５のそれぞれにおいてフレームＮが読み出される。
【００２９】
このように、フレームメモリに２つのエリアを設け、読み出しと書き込みとを互いに異なるエリアに対して交互に行うことにより、フレーム変換後のフレーム画像に２つのフレーム画像が混在することが抑制される。なお、図３の例では、フレームレートが３０ＦＰＳから、その倍の６０ＦＰＳに変換されるので、画像データの書き込みと読み出しとを互いに異なるエリアに対して交互に行っているが、変換後のフレームレートが変換前のフレームレートの整数倍となっていない場合には、フレームの読み出しの開始時点ｔ１〜ｔ５）において、書き込みが完了している（すなわち、フレーム画像の書き込みが行われていない）エリアからフレーム画像の読み出しが行われる。
【００３０】
補間・色調整処理部１４０（図２）は、フレームレート変換部１３０から供給される画像データＧＤ３に対して、補間処理や色調整処理（コントラスト調整処理、色補正処理）等の処理を施して画像データＧＤ４を生成する。なお、補間・色調整処理１４０において画像データＧＤ３に施される種々の処理の内容は、本発明に影響しないので、ここではその説明を省略する。
【００３１】
画像合成部１５０は、補間・色調整処理部１４０から供給される画像データＧＤ４に、ＯＳＤ画像生成部２３０により生成されたＯＳＤ画像を合成して、イメージセンサ１１０により撮影された画像にＯＳＤ画像が重畳された画像データＧＤ５を生成する。画像データＧＤ４へのＯＳＤ画像の合成は、周知のスーパーインポーズ方法によって行うことができる。なお、ＯＳＤ画像の合成を行わない場合には、画像合成部１５０をバイパスするものとしてもよい。
【００３２】
出力信号生成部１６０は、画像合成部１５０から供給される画像データＧＤ５から、モニタ装置３００が受け取り可能な所定の形式の映像信号ＶＳＧを生成する。生成された映像信号ＶＳＧは、図１に示すようにケーブル１０４を介してモニタ装置３００に供給される。
【００３３】
フリッカ低減部２４０は、撮像制御部２１０とフレーム読出制御部２２０とを制御することにより、蛍光灯２０（図１）等の周期的に明滅する光源で照明された被写体を撮影した際に生じるフリッカを低減する。具体的には、フリッカ低減部２４０は、撮像制御部２１０に撮影フレームレートと電子シャッタのシャッタ速度とゲイン倍率とを設定する指示を供給し、フレーム読み出し制御部２２０に出力フレームレートを設定する指示を供給する。これらの設定指示は、フリッカ低減部２４０が備える複数の動作モード（フリッカ低減モード）にしたがって生成される。複数のフリッカ低減モードのうちのいずれのフリッカ低減モードが実行されるかは、カメラ動作設定部２５０に設けられた不揮発性メモリ２５２に格納された設定値に基づいて決定される。なお、個々のフリッカ低減モードにおける撮像制御部２１０とフレーム読出制御部２２０との具体的な制御態様については、後述する。
【００３４】
リモートコントローラ受信部１７０は、リモートコントローラ１０２から送信される信号を受信する。そして、リモートコントローラ１０２に設けられたボタンの操作状態を表す情報（ボタン操作情報）を、カメラ動作設定部２５０に供給する。カメラ動作設定部２５０は、リモートコントローラ受信部１７０から供給されるボタン操作情報に基づいて、ＯＳＤ画像生成部２３０にユーザによる操作を案内するためのＯＳＤ画像（設定画面）を生成させる。これにより、ビデオカメラ１００から映像信号ＶＳＧが供給されるモニタ装置３００には、ビデオカメラ１００で撮影された映像に設定画面が重畳されて表示される。カメラ動作設定部２５０は、また、ボタン操作情報に基づいて、不揮発性メモリ２５２に格納されたビデオカメラ１００の種々の動作条件の設定値を変更する。このようにカメラ動作設定部２５０がフリッカ低減モードを指定する設定値を変更することにより、フリッカ低減部２４０の動作モードが変更される。なお、このようにカメラ動作設定部は、ボタン操作情報に基づいてフリッカ低減モードを変更するので、フリッカ低減モードを設定する「モード設定部」ともいうことができる。
【００３５】
図４（ａ）は、ユーザによるリモートコントローラ１０２の操作に応じてモニタ装置３００の画面３１０上に表示される設定画面ＳＭの一例を示している。図４（ａ）の例では、設定画面ＳＭとして、リモートコントローラ１０２の操作が行われた際に最初に表示されるメインメニュー（ＭＡＩＮ  ＭＥＮＵ）が、ビデオカメラ１００で撮影された映像に重畳して表示されている。
【００３６】
設定画面ＳＭでは、ビデオカメラ１００の種々の動作条件を設定するためのサブメニューのリストが表示される。そして、リスト表示された複数のサブメニュー項目のうちの１つのサブメニュー項目が選択され、選択されたサブメニュー項目が反転表示される。ユーザがリモートコントローラ１０２の上ボタンＢＵＰあるいは下ボタンＢＤＮを操作すると、選択されるサブメニュー項目が変更される。ユーザは、必要に応じて選択されるサブメニュー項目を変更し、リモートコントローラ１０２の右ボタンＢＲＴを操作する。右ボタンＢＲＴの操作により、選択されたサブメニュー項目に対応するサブメニューが表示される。
【００３７】
図４（ｂ）は、図４（ａ）に示すようにサブメニュー項目「ＣＡＭＥＲＡ  ＳＥＴＵＰ」が選択された状態で、リモートコントローラ１０２の右ボタンＢＲＴ（ハッチング部分）が操作されることにより表示される設定画面ＳＳ１を示している。図４（ｂ）の例では、設定画面ＳＳ１として、サブメニュー項目「ＣＡＭＥＲＡ  ＳＥＴＵＰ」に対応するサブメニューが、ビデオカメラ１００で撮影された映像に重畳されて表示されている。
【００３８】
設定画面ＳＳ１では、ビデオカメラ１００の基本的な動作を規定する種々の設定項目とその設定値が表示される。そして、これらの設定項目のうちの１つの設定項目が選択され、選択された設定項目が反転表示される。ユーザがリモートコントローラ１０２の上ボタンＢＵＰあるいは下ボタンＢＤＮを操作すると、選択される設定項目が変更される。ユーザがリモートコントローラ１０２の右ボタンＢＲＴあるいは左ボタンＢＬＴを操作すると、選択された設定項目の設定値が変更される。変更された設定値は、カメラ動作設定部２５０（図２）の不揮発性メモリ２５２に格納される。
【００３９】
なお、設定画面ＳＳ１に表示された最下端の設定項目（ＦＬＩＣＫＥＲ）が選択されている際にリモートコントローラ１０２の下ボタンＢＤＮが操作されると、設定画面ＳＳ１における設定値の変更は終了する。同様に、設定画面ＳＳ１に表示された最上端の設定項目（ＢＬＣ）が選択されている際にリモートコントローラ１０２の上ボタンＢＵＰが操作されると、設定画面ＳＳ１における設定値の変更は終了する。設定値の変更が終了すると、図４（ａ）に示すように、メインメニューを表す設定画面ＳＭが表示される。
【００４０】
図４（ｂ）の例では、設定画面ＳＳ１に表示された複数の設定項目のうち設定項目「ＦＬＩＣＫＥＲ」が選択されている。そのため、設定項目「ＦＬＩＣＫＥＲ」とその設定値「ＯＦＦ」が反転表示されている。この設定項目「ＦＬＩＣＫＥＲ」の設定値は、フリッカ低減部２４０（図２）の動作モード（フリッカ低減モード）を表している。そして、ユーザがリモートコントローラ１０２の右ボタンＢＲＴあるいは左ボタンＢＬＴを操作すると、フリッカ低減モードが変更されるとともに、設定項目「ＦＬＩＣＫＥＲ」の設定値表示が変更される。なお、フリッカ低減モードには、ビデオカメラ１００から出力される映像信号ＶＳＧの特性に基づいて、優先順位が付けられている。ユーザによるリモートコントローラ１０２の右ボタンＢＲＴの操作に応じて、フリッカ低減モードは、優先順位の高いモードから次に優先順位の高いモードに順次切り換えられる。
【００４１】
図４（ｂ）に示すように、フリッカ低減モードが「ＯＦＦ」に設定されている場合、フリッカ低減部２４０（図２）は、フリッカ低減処理を行わない通常の設定でビデオカメラ１００（図２）各部を制御する。具体的には、フリッカ低減部２４０は、撮影フレームレートを６０ＦＰＳとする指示と、電子シャッタをオフ状態とする指示と、ゲイン倍率を１にする指示と、を撮像制御部２１０に供給する。フリッカ低減部２４０は、また、フレーム読出制御部２２０に出力フレームレートを６０ＦＰＳとする指示を供給する。撮像制御部２１０とフレーム読出制御部２２０とは、それぞれ、フリッカ低減部２４０から供給された指示に基づいて、イメージセンサ１１０とフレームレート変換部１３０とを制御する。これにより、撮影フレームレートと出力フレームレートとはいずれも６０ＦＰＳに設定され、電子シャッタはオフ状態（すなわち、電子シャッタが常時開いている状態）に設定される。
【００４２】
図５は、フリッカ低減モードが「ＯＦＦ」に設定されている状態において、ビデオカメラ１００による撮影が行われる様子を示す説明図である。図５の例は、図１に示す監視システム１０が電源周波数が５０Ｈｚの地域で使用されている状態を示している。図５（ａ）ないし図５（ｄ）のグラフの横軸は、時間を表している。図５（ａ）は、ビデオカメラ１００により撮影されるフレームを示している。図５（ｂ）は、電子シャッタの開閉状態を示している。図５（ｃ）および図５（ｄ）は、蛍光灯２０の輝度の時間変化を示している。
【００４３】
一般に、蛍光灯２０の輝度は、電源周波数と同一の周波数の周波数、もしくは、電源周波数の倍の周波数で変動する。図５の例では、電源周波数が５０Ｈｚとなっているため、蛍光灯２０の輝度は、図５（ｃ）に示すように５０Ｈｚで変動するか、もしくは、図５（ｄ）に示すように１００Ｈｚで変動する。そのため、蛍光灯２０により照明されている被写体の照度の変動は、５０Ｈｚの変動成分と１００Ｈｚの変動成分とを重ね合わせたものとなる。蛍光灯２０の輝度の変動が、電源周波数と同一の周波数となるか、電源周波数の倍の周波数となるかは、蛍光灯２０の使用時間、蛍光灯２０の形状、蛍光灯２０における位置等の種々の条件により変化する。したがって、被写体の照度の変動は、蛍光灯２０の状態によって、５０Ｈｚの変動成分が主となる場合と、１００Ｈｚの変動成分が主となる場合とがある。
【００４４】
フリッカ低減モードが「ＯＦＦ」の場合には、上述のように、撮影フレームレートは６０ＦＰＳに設定されているので、イメージセンサ１１０は、１／６０秒（ｓ）のフレーム期間に１フレーム分の画像データを生成する。また、電子シャッタはオフ状態となっているので、イメージセンサ１１０により生成される１フレーム分の画像データは、１／６０秒のフレーム期間にイメージセンサ１１０に入射した光量に応じて生成される。そのため、図５に示すように蛍光灯２０の輝度の変動周期がフレーム期間に一致しない場合、フレーム期間の輝度の積分値、すなわち、図５（ｃ）あるいは図５（ｄ）において同一方向のハッチングを付した領域の面積は、フレーム毎に変化する。したがって、被写体の照度の積分値はフレーム毎に変化し、ビデオカメラ１００により撮影される映像には、フレーム毎に明るさが変動するフリッカが発生する。
【００４５】
図６は、フリッカ低減モードが「ＯＦＦ」から「ＤＥＣＲＥＡＳＥ」に変更される様子を示す説明図である。図６（ａ）は、図４（ｂ）と同じ図面であり、フリッカ低減モードが「ＯＦＦ」となっている状態での設定画面ＳＳ１を示している。設定画面ＳＳ１が表示されている状態で、ユーザがリモートコントローラ１０２の右ボタンＢＲＴ（ハッチング部分）を操作すると、フリッカ低減モードが「ＯＦＦ」から「ＤＥＣＲＥＡＳＥ」に変更されるとともに、図６（ｂ）に示すように設定項目「ＦＬＩＣＫＥＲ」の設定値表示が「ＤＥＣＲＥＡＳＥ」に変更された設定画面ＳＳ２が表示される。
【００４６】
図６（ｂ）に示すように、フリッカ低減モードが「ＤＥＣＲＥＡＳＥ」に設定されている場合、フリッカ低減部２４０（図２）は、フリッカが低減されるように、ビデオカメラ１００（図２）各部を制御する。具体的には、フリッカ低減部２４０は、撮影フレームレートを６０ＦＰＳとする指示と、電子シャッタのシャッタ速度を１／１００秒とする指示と、ゲイン倍率を約１．６（１／０．６）にする指示と、を撮像制御部２１０に供給する。フリッカ低減部２４０は、また、フレーム読出制御部２２０に出力フレームレートを６０ＦＰＳとする指示を供給する。撮像制御部２１０とフレーム読出制御部２２０とは、それぞれ、フリッカ低減部２４０から供給された指示に基づいて、イメージセンサ１１０とフレームレート変換部１３０とを制御する。これにより、撮影フレームレートと出力フレームレートとはいずれも６０ＦＰＳに設定され、電子シャッタのシャッタ速度は１／１００秒（すなわち、１フレーム期間毎に電子シャッタが１／１００秒間開く状態）に設定される。
【００４７】
図７は、フリッカ低減モードが「ＤＥＣＲＥＡＳＥ」に設定されている状態において、ビデオカメラ１００による撮影が行われる様子を示す説明図である。図７の例は、図５と同様に、監視システム１０（図１）が電源周波数が５０Ｈｚの地域で使用されている状態を示している。図７（ａ）ないし図７（ｄ）のグラフの横軸は、時間を表している。図７（ａ）は、ビデオカメラ１００により撮影されるフレームを示している。図７（ｂ）は、電子シャッタの開閉状態を示している。図７（ｃ）および図７（ｄ）は、蛍光灯２０の輝度の時間変化を示している。
【００４８】
上述のように、フリッカ低減モードが「ＤＥＣＲＥＡＳＥ」に設定されている場合には、ビデオカメラ１００の撮影フレームレートは６０ＦＰＳに設定され、シャッタ速度は１／１００秒に設定される。そのため、１フレーム分の画像は、１／１００秒の間にイメージセンサ１１０に入射した光量に応じて生成される。
【００４９】
図７（ｃ）に示すように蛍光灯２０の輝度が５０Ｈｚで変動する場合、電子シャッタが開いている期間の輝度の積分値（ハッチング部分の面積）は、フレーム毎に変化する。したがって、被写体の照度変動の主な成分が５０Ｈｚである場合には、ビデオカメラ１００により撮影される映像のフリッカはあまり低減されない。
【００５０】
一方、図７（ｄ）に示すように蛍光灯２０の輝度が１００Ｈｚで変動する場合、電子シャッタが開いている期間の輝度の積分値（ハッチング部分の面積）は変化しない。したがって、被写体の照度変動の主な成分が１００Ｈｚである場合には、ビデオカメラ１００により撮影された映像は、フレーム毎の明るさの変動が抑制されてフリッカが低減される。
【００５１】
このように、フリッカ低減モード「ＤＥＣＲＥＡＳＥ」においては、ビデオカメラ１００の撮影フレームレートは６０ＦＰＳに設定され、シャッタ速度は１／１００秒に設定される。これにより、被写体の照度変動の主な成分が１００Ｈｚである場合には、フリッカが低減される。通常、蛍光灯２０により照明される被写体では、蛍光灯２０の中央部からの光量が多く、蛍光灯２０の端部からの光量は少なくなる。一般に、蛍光灯２０の端部では、図７（ｃ）に示すように輝度の変動は電源周波数と同一になり、蛍光灯２０の中央部では、図７（ｄ）に示すように輝度の変動は電源周波数の倍となる傾向がある。そのため、通常は、被写体の照度変動の主な成分が１００Ｈｚとなるので、フリッカ低減モードが「ＤＥＣＲＥＡＳＥ」であってもフリッカは十分低減される。しかしながら、照明の方法や蛍光灯の使用時間等の種々の条件により、照度変動の主な成分が５０Ｈｚとなった場合には、フリッカがあまり低減されなくなる。
【００５２】
なお、フリッカ低減モードが「ＤＥＣＲＥＡＳＥ」の場合、上述のように、画像信号のゲインが通常のゲインよりも高く設定されるので、画像データのＳ／Ｎ比が低下する。一方、撮影フレームレートは、標準的なフレームレート（６０ＦＰＳ）に設定される。そのため、ビデオカメラ１００により撮影された映像の動解像度の低下は抑制される。
【００５３】
図８は、フリッカ低減モードが「ＤＥＣＲＥＡＳＥ」から「ＬＥＳＳ１」に変更される様子を示す説明図である。図８（ａ）は、図６（ｂ）と同じ図面であり、フリッカ低減モードが「ＤＥＣＲＥＡＳＥ」となっている状態での設定画面ＳＳ２を示している。この設定画面ＳＳ２が表示されている状態で、ユーザがリモートコントローラ１０２の右ボタンＢＲＴ（ハッチング部分）を操作すると、フリッカ低減モードが「ＤＥＣＲＥＡＳＥ」から「ＬＥＳＳ１」に変更されるとともに、図８（ｂ）に示すように設定項目「ＦＬＩＣＫＥＲ」の設定値表示が「ＬＥＳＳ１」に変更された設定画面ＳＳ３が表示される。
【００５４】
図８（ｂ）に示すように、フリッカ低減モードが「ＬＥＳＳ１」に設定されている場合、フリッカ低減部２４０（図２）は、フリッカ低減モードが「ＤＥＣＲＥＡＳＥ」に設定された場合よりもフリッカが低減されるように、ビデオカメラ１００（図２）各部を制御する。具体的には、フリッカ低減部２４０は、撮影フレームレートを３０ＦＰＳとする指示と、電子シャッタのシャッタ速度を１／５０秒とする指示と、ゲイン倍率を約０．８（１／１．２）にする指示と、を撮像制御部２１０に供給する。フリッカ低減部２４０は、また、フレーム読出制御部２２０に出力フレームレートを６０ＦＰＳとする指示を供給する。撮像制御部２１０とフレーム読出制御部２２０とは、それぞれ、フリッカ低減部２４０から供給された指示に基づいて、イメージセンサ１１０とフレームレート変換部１３０とを制御する。これにより、撮影フレームレートは３０ＦＰＳに設定され、電子シャッタのシャッタ速度は１／５０秒（すなわち、１フレーム期間毎に電子シャッタが１／５０秒間開く状態）に設定される。そして、出力フレームレートは、６０ＦＰＳに設定される。
【００５５】
図９は、フリッカ低減モードが「ＬＥＳＳ１」に設定されている状態において、ビデオカメラ１００による撮影が行われる様子を示す説明図である。図９の例は、図５と同様に、監視システム１０（図１）が電源周波数が５０Ｈｚの地域で使用されている状態を示している。図９（ａ）ないし図９（ｄ）のグラフの横軸は、時間を表している。図９（ａ）は、ビデオカメラ１００により撮影されるフレームを示している。図９（ｂ）は、電子シャッタの開閉状態を示している。図９（ｃ）および図９（ｄ）は、蛍光灯２０の輝度の時間変化を示している。
【００５６】
図９（ｃ）に示すように、シャッタ速度を１／５０秒に設定することにより、蛍光灯２０の輝度が５０Ｈｚで変動する場合においても、電子シャッタが開いている期間の輝度の積分値（ハッチング部分の面積）は変化しなくなる。また、図９（ｄ）に示すように、蛍光灯２０の輝度が１００Ｈｚで変動する場合においても、電子シャッタが開いている期間の輝度の積分値（ハッチング部分の面積）は変化しない。そのため、被写体の照度変動の主な成分が５０Ｈｚか１００Ｈｚかにかかわらず、ビデオカメラ１００により撮影される映像は、フレーム毎の明るさの変動が抑制され、フリッカが良好に低減される。
【００５７】
このように、ビデオカメラ１００の撮影フレームレートを３０ＦＰＳに設定し、シャッタ速度を１／５０秒に設定することにより、被写体の照度変動によるフリッカは蛍光灯２０の状態によらず低減される。そして、撮影フレームレート３０ＦＰＳで撮影された映像は、フレームレート変換部において６０ＦＰＳの映像に変換され、ビデオカメラ１００からは６０ＦＰＳの映像が出力される。
【００５８】
なお、フリッカ低減モードが「ＬＥＳＳ１」の場合、上述のように、画像信号のゲインが通常のゲインよりも低く設定されるので、画像データのＳ／Ｎ比が向上する。一方、撮影フレームレートは、標準的なフレームレート（６０ＦＰＳ）の半分の３０ＦＰＳに設定される。そのため、ビデオカメラ１００により撮影された映像の動解像度は低下する。
【００５９】
図１０は、フリッカ低減モードが「ＬＥＳＳ１」から「ＬＥＳＳ２」に変更される様子を示す説明図である。図１０（ａ）は、図８（ｂ）と同じ図面であり、フリッカ低減モードが「ＬＥＳＳ１」となっている状態の設定画面ＳＳ３を示している。この設定画面ＳＳ３が表示されている状態で、ユーザがリモートコントローラ１０２の右ボタンＢＲＴ（ハッチング部分）を操作すると、フリッカ低減モードが「ＬＥＳＳ１」から「ＬＥＳＳ２」に変更される。そして、モニタ装置３００の表示画面３１０には、設定項目「ＦＬＩＣＫＥＲ」の設定値表示が「ＬＥＳＳ２」に変更された設定画面ＳＳ４が表示される。
【００６０】
図１０（ｂ）に示すように、フリッカ低減モードが「ＬＥＳＳ２」に設定されている場合においても、フリッカ低減部２４０（図２）は、フリッカ低減モードが「ＤＥＣＲＥＡＳＥ」に設定された場合よりもフリッカが低減されるように、ビデオカメラ１００（図２）各部を制御する。具体的には、フリッカ低減部２４０は、撮影フレームレートを５０ＦＰＳとする指示と、電子シャッタをオフにする指示と、ゲイン倍率を約０．８（１／１．２）にする指示と、を撮像制御部２１０に供給する。フリッカ低減部２４０は、また、フレーム読出制御部２２０に出力フレームレートを５０ＦＰＳとする指示を供給する。撮像制御部２１０とフレーム読出制御部２２０とは、それぞれ、フリッカ低減部２４０から供給された指示に基づいて、イメージセンサ１１０とフレームレート変換部１３０とを制御する。これにより、撮影フレームレートと出力フレームレートとはいずれも５０ＦＰＳに設定され、電子シャッタはオフ状態に設定される。
【００６１】
図１１は、フリッカ低減モードが「ＬＥＳＳ２」に設定されている状態において、ビデオカメラ１００による撮影が行われる様子を示す説明図である。図１１の例は、図５と同様に、監視システム１０（図１）が電源周波数が５０Ｈｚの地域で使用されている状態を示している。図１１（ａ）ないし図１１（ｄ）のグラフの横軸は、時間を表している。図１１（ａ）は、ビデオカメラ１００により撮影されるフレームを示している。図１１（ｂ）は、電子シャッタの開閉状態を示している。図１１（ｃ）および図１１（ｄ）は、蛍光灯２０の輝度の時間変化を示している。
【００６２】
図１１に示すように、撮影フレームレートが５０ＦＰＳに設定され、電子シャッタがオフ状態に設定されている場合、１フレーム分の画像データは、１／５０秒のフレーム期間にイメージセンサ１１０に入射した光量に応じて生成される。このときフレーム期間の蛍光灯２０の輝度積分値（ハッチング部分の面積）は、蛍光灯２０の輝度が５０Ｈｚで変動する場合と１００Ｈｚで変動する場合とのいずれの場合においても変化しない。そのため、被写体の照度変動の主な成分が５０Ｈｚか１００Ｈｚかにかかわらず、ビデオカメラ１００により撮影される映像のフレーム毎の明るさの変動が抑制され、フリッカは良好に低減される。
【００６３】
なお、第１実施例では、フリッカ低減モードが「ＬＥＳＳ２」の場合、電子シャッタはオフ状態に設定されているが、電子シャッタをオフ状態以外の任意の状態に設定することも可能である。このようにしても、フレームの開始タイミングは、５０Ｈｚおよび１００Ｈｚの輝度変動のいずれとも同期する。そのため、シャッタ速度の設定状態によらず、フレーム毎の明るさの変動が抑制される。
【００６４】
このように、ビデオカメラ１００の撮影フレームレートを５０ＦＰＳに設定することにより、被写体の照度変動によるフリッカは蛍光灯２０の状態によらず低減される。また、画像信号のゲインは通常のゲインよりも低く設定されるので画像データのＳ／Ｎ比が向上し、撮影フレームレート（５０ＦＰＳ）は十分高いので動解像度の低下はほとんど問題とならない。ただし、モニタ装置３００（図１）は、通常、ＮＴＳＣ方式に準じた６０ＦＰＳの映像信号を受け付けるように構成されている。そのため、モニタ装置３００によっては、撮影フレームレートと同じ５０ＦＰＳの映像信号での表示ができない場合がある。
【００６５】
図１２は、フリッカ低減モードが「ＬＥＳＳ２」から「ＬＥＳＳ３」に変更される様子を示す説明図である。図１２（ａ）は、図１０（ｂ）と同じ図面であり、フリッカ低減モードが「ＬＥＳＳ２」となっている状態の設定画面ＳＳ４を示している。この設定画面ＳＳ４が表示されている状態で、ユーザがリモートコントローラ１０２の右ボタンＢＲＴを操作すると、フリッカ低減モードが「ＬＥＳＳ２」から「ＬＥＳＳ３」に変更される。そして、モニタ装置３００の表示画面３１０には、設定項目「ＦＬＩＣＫＥＲ」の設定値表示が「ＬＥＳＳ３」に変更された設定画面ＳＳ５が表示される。
【００６６】
図１２（ｂ）に示すように、フリッカ低減モードが「ＬＥＳＳ３」に設定されている場合、フリッカ低減部２４０（図２）は、フリッカ低減モードが「ＬＥＳＳ２」の場合と同様に、フリッカ低減モードが「ＤＥＣＲＥＡＳＥ」に設定された場合よりもフリッカが低減されるように、ビデオカメラ１００（図２）各部を制御する。具体的には、フリッカ低減部２４０は、撮影フレームレートを５０ＦＰＳとする指示と、電子シャッタをオフにする指示と、ゲイン倍率を約０．８（１／１．２）にする指示と、を撮像制御部２１０に供給する。フリッカ低減部２４０は、また、フレーム読出制御部２２０に出力フレームレートを６０ＦＰＳとする指示を供給する。撮像制御部２１０とフレーム読出制御部２２０とは、それぞれ、フリッカ低減部２４０から供給された指示に基づいて、イメージセンサ１１０とフレームレート変換部１３０とを制御する。これにより、撮影フレームレートは５０ＦＰＳに設定され、電子シャッタはオフ状態に設定される。そして、出力フレームレートは、６０ＦＰＳに設定される。
【００６７】
上述のように、撮影フレームレートを５０ＦＰＳとすることにより、電源周波数が５０Ｈｚの地域で生じるフリッカは低減される。そして、出力フレームレートを６０ＦＰＳとすることにより、出力信号生成部１６０では６０ＦＰＳの映像信号ＶＳＧが生成され、ビデオカメラ１００から出力される。このように、映像信号ＶＳＧのフレームレートが６０ＦＰＳに変換されることにより、モニタ装置３００において映像が表示されないおそれは低減する。ただし、フレームレートの変換を行うことにより、フレームレート変換後の映像が不自然なものとなるおそれがある。
【００６８】
このように、第１実施例のビデオカメラ１００のフリッカ低減部２４０は、４つの異なるフリッカ低減モード（「ＤＥＣＲＥＡＳＥ」、「ＬＥＳＳ１」、「ＬＥＳＳ２」、「ＬＥＳＳ３」）を備えている。そして、これらのフリッカ低減モードは、ビデオカメラ１００が撮影した映像に重畳されたオンスクリーンディスプレイ上での操作により設定される。そのため、ユーザは、モニタ装置３００に表示された映像を見ながらフリッカの低減方法を設定することができ、フリッカの低減方法の設定が容易となる。
【００６９】
また、第１実施例では、複数のフリッカ低減モードに、映像信号ＶＳＧの特性に基づいて優先順位が付けられている。そして、フリッカ低減モードは、その優先順位にしたがって、「ＤＥＣＲＥＡＳＥ」、「ＬＥＳＳ１」、「ＬＥＳＳ２」、「ＬＥＳＳ３」の順に、順次切り換えられる。そのため、より好ましいフリッカ低減モードを設定することがより容易となる。ただし、フリッカ低減モードの切換順は、必ずしもこの順番でなくとも良い。
【００７０】
Ｂ．第２実施例：
図１３は、第２実施例におけるビデオカメラ１００ａの機能的な構成を示すブロック図である。第２実施例のビデオカメラ１００ａは、電源周波数判別部１８０を備えている点と、カメラ動作設定部２５０ａが電源周波数判別部１８０に接続されている点とで、第１実施例のビデオカメラ１００と異なっている。他の点は、第１実施例のビデオカメラ１００と同様である。
【００７１】
電源周波数判別部１８０は、ビデオカメラ１００ａが設置されている地域の電源周波数を判別する。具体的には、ビデオカメラ１００ａに供給される電源の周波数が、５０Ｈｚと６０Ｈｚとのいずれであるかを判別する。なお、電源周波数の判別は、周波数カウンタや、バンドパスフィルタを用いた検出器等を用いて行うことができる。電源周波数判別部１８０による電源周波数の判別結果は、カメラ動作設定部２５０ａに供給される。
【００７２】
図１４は、第２実施例のカメラ動作設定部２５０ａにより実行されるフリッカ低減設定処理ルーチンを示すフローチャートである。このフリッカ低減設定処理ルーチンは、ビデオカメラ１００ａの電源が投入された際に実行される。
【００７３】
ステップＳ１１０において、カメラ動作設定部２５０ａは、電源周波数が６０Ｈｚであるか否かを判断する。電源周波数が６０Ｈｚである場合、制御はステップＳ１６０に移される。一方、電源周波数が６０Ｈｚでない場合、すなわち、電源周波数が５０Ｈｚである場合、制御はステップＳ１２０に移される。
【００７４】
ステップＳ１２０において、カメラ動作設定部２５０ａは、フリッカ低減モードが設定済か否かを判断する。具体的には、カメラ動作設定部２５０ａが備える不揮発性メモリ２５２を参照する。そして、フリッカ低減モードが設定された際に設定される設定済フラグのセット・リセット状態に基づいて、フリッカ低減モードが設定済か否かを判断する。設定済フラグがセットされている場合、フリッカ低減モードは設定済であると判断され、フリッカ低減設定処理ルーチンは終了する。一方、設定済フラグがリセットされている場合、フリッカ低減モードは設定済でないと判断され、制御はステップＳ１３０に移される。
【００７５】
ステップＳ１３０において、カメラ動作設定部２５０ａは、フリッカ低減モードの設定を実行する。具体的には、図４（ｂ）に示す設定画面ＳＳ１を表示し、ユーザにフリッカ低減モードの設定を促す。そして、ユーザの指示に基づいてフリッカ低減モードを設定する。フリッカ低減モードの設定の後、図１４のフリッカ低減設定処理ルーチンは終了する。
【００７６】
ステップＳ１６０において、カメラ動作設定部２５０ａは、フリッカ低減モードを「ＯＦＦ」に設定する。そして、フリッカ低減モードが「ＯＦＦ」に設定された後、図１４のフリッカ低減設定処理ルーチンは終了する。
【００７７】
このように、第２実施例では、電源周波数の判別を行い、フリッカの低減が必要となる可能性がある５０Ｈｚであり、かつ、フリッカ低減モードが設定済でない場合には、フリッカ低減モードの設定をユーザに促す。一方、電源周波数がフリッカの低減が不要な６０Ｈｚである場合には、フリッカ低減モードは「ＯＦＦ」に設定される。そのため、フリッカ低減モードの設定が好ましい場合にはフリッカ低減モードの設定が促されるので、より好ましいフリッカ低減モードを設定することがより容易となる。
【００７８】
なお、第２実施例では、電源周波数が６０Ｈｚの場合には、ステップＳ１６０においてフリッカ低減モードが「ＯＦＦ」に設定されているが、電源周波数が６０Ｈｚの場合に設定済フラグをリセットするものとしてもよい。このようにすれば、電源周波数が異なる地域間で移動した場合においても、フリッカ低減モードの設定がより容易となる。
【００７９】
Ｃ．変形例：
なお、この発明は上記実施例や実施形態に限られるものではなく、その要旨を逸脱しない範囲において種々の態様において実施することが可能であり、例えば次のような変形も可能である。
【００８０】
Ｃ１．変形例１：
上記各実施例では、フリッカの低減を行うため、イメージセンサ１１０（図２）が備える電子シャッタの開閉状態を制御しているが、電子シャッタに換えて光学的なシャッタの開閉状態を制御してフリッカを低減することも可能である。光学的なシャッタとしては、イメージセンサ１１０への光の入射時間が制御可能であればよく、機械的なシャッタや、液晶の透過率を変化させる液晶シャッタ等、種々のシャッタを使用することができる。
【００８１】
Ｃ２．変形例２：
上記各実施例では、フリッカ低減部２４０（図２）は、４つの異なるフリッカ低減モード（「ＤＥＣＲＥＡＳＥ」、「ＬＥＳＳ１」、「ＬＥＳＳ２」、「ＬＥＳＳ３」）を備えているが、フリッカ低減部２４０が備えるフリッカ低減モードは必ずしもこれらの４つのフリッカ低減モードでなくてもよい。フリッカ低減部２４０は、一般に、これらの４つのフリッカ低減モードのうち少なくとも２以上のフリッカ低減モードを備えていればよい。また、フリッカ低減部２４０が、これらの４つのフリッカ低減モードとは異なる低減モードを備えるものとしてもよい。
【００８２】
Ｃ３．変形例３：
上記各実施例は、映像信号の標準的なフレームレートがＮＴＳＣ方式に準じた６０ＦＰＳとなっているが、本発明は、標準的なフレームレートが６０ＦＰＳとは異なる場合にも適用可能である。本発明は、例えば、映像信号の標準的なフレームレートがＰＡＬ規格に準じた５０ＦＰＳである場合にも適用可能である。この場合、フリッカ低減モードと、個々のモードにおける撮像制御部２１０およびフレーム読出制御部２２０の制御態様は、標準的なフレームレートに応じて適宜変更される。
【００８３】
Ｃ４．変形例４：
上記各実施例では、ビデオカメラ１００（図１）の設定は、ユーザによるリモートコントローラ１０２の操作に応じて行われているが、リモートコントローラ１０２を用いずにビデオカメラ１００の設定を行うことも可能である。例えば、ビデオカメラ１００にユーザによる操作を受け付けるボタンを設け、ユーザによるボタン操作状態を取得することによりビデオカメラ１００の設定を行うものとしてもよい。
【図面の簡単な説明】
【００８４】
【図１】第１実施例を適用する監視システムの概略構成を示す概略構成図。
【図２】ビデオカメラ１００の機能的な構成を示す機能ブロック図。
【図３】フレームメモリに対するフレーム画像の読み書きによりフレームレート変換が行われる様子を示す説明図。
【図４】ビデオカメラ１００の設定を変更するためのメニューが表示される様子を示す説明図。
【図５】フリッカ低減モードが「ＯＦＦ」に設定されている状態において、ビデオカメラ１００による撮影が行われる様子を示す説明図。
【図６】フリッカ低減モードが「ＯＦＦ」から「ＤＥＣＲＥＡＳＥ」に変更される様子を示す説明図。
【図７】フリッカ低減モードが「ＤＥＣＲＥＡＳＥ」に設定されている状態において、ビデオカメラ１００による撮影が行われる様子を示す説明図。
【図８】フリッカ低減モードが「ＤＥＣＲＥＡＳＥ」から「ＬＥＳＳ１」に変更される様子を示す説明図。
【図９】フリッカ低減モードが「ＬＥＳＳ１」に設定されている状態において、ビデオカメラ１００による撮影が行われる様子を示す説明図。
【図１０】フリッカ低減モードが「ＬＥＳＳ１」から「ＬＥＳＳ２」に変更される様子を示す説明図。
【図１１】フリッカ低減モードが「ＬＥＳＳ２」に設定されている状態において、ビデオカメラ１００による撮影が行われる様子を示す説明図。
【図１２】フリッカ低減モードが「ＬＥＳＳ２」から「ＬＥＳＳ３」に変更される様子を示す説明図。
【図１３】第２実施例におけるビデオカメラ１００ａの機能的な構成を示すブロック図。
【図１４】第２実施例のカメラ動作設定部２５０ａにより実行されるフリッカ低減設定処理ルーチンを示すフローチャート。
【符号の説明】
【００８５】
１０…監視システム
２０…蛍光灯
１００，１００ａ…ビデオカメラ
１０２…リモートコントローラ
１０４…ケーブル
１１０…イメージセンサ
１２０…前処理部
１３０…フレームレート変換部
１４０…補間・色調整処理部
１５０…画像合成部
１６０…出力信号生成部
１７０…リモートコントローラ受信部
１８０…電源周波数判別部
２００…カメラ制御部
２１０…撮像制御部
２２０…フレーム読出制御部
２３０…ＯＳＤ画像生成部
２４０…フリッカ低減部
２５０，２５０ａ…カメラ動作設定部
２５２…不揮発性メモリ
３００…モニタ装置
３１０…表示画面
【図１】
2008311854.tif 000003
【図２】
2008311854.tif 000004
【図３】
2008311854.tif 000005
【図４】
2008311854.tif 000006
【図５】
2008311854.tif 000007
【図６】
2008311854.tif 000008
【図７】
2008311854.tif 000009
【図８】
2008311854.tif 000010
【図９】
2008311854.tif 000011
【図１０】
2008311854.tif 000012
【図１１】
2008311854.tif 000013
【図１２】
2008311854.tif 000014
【図１３】
2008311854.tif 000015
【図１４】
2008311854.tif 000016